(57)【要約】  【課題】異なる地域で放送コンテンツを視聴する場合に、時差により生活リズムが乱れることを防止する。  【解決手段】ベースステーション１によりテレビジョン放送が受信され、放送コンテンツが圧縮されてインターネット６を介してクライアントとしてのＴＶボックス７（ＰＣ、ゲーム機、携帯電話等）に送信される。ＴＶボックス７に接続されたテレビジョン受像機８によってテレビジョン放送をリアルタイムで視聴できる。録画部３は、テレビジョン放送の２４時間分（１または複数チャンネル）のコンテンツを圧縮して巡回的に記録し、また、巡回的に再生する。放送時刻に対して時差に対応する遅延時間後に、録画部３がコンテンツを再生してＴＶボックス７に対して送出する。テレビジョン受像機８によって、ベースステーション１の地域の放送時刻とほぼ同時刻に放送コンテンツを視聴できる。【選択図】図１
2008278231.tif 000002
【特許請求の範囲】
【請求項１】
ネットワークを介してコンテンツ受信装置と双方向通信可能に接続されたコンテンツ送信装置において、
１または複数のチャンネルの放送コンテンツを受信する放送信号受信部と、
上記放送信号受信部で受信される各チャンネルの少なくとも２４時間分の放送コンテンツを圧縮符号化して記録し、記録した圧縮符号化データを再生する記録再生部と、
上記記録再生部により再生された上記圧縮符号化データをネットワークを介して他の場所に設置されたコンテンツ受信装置に対して送信する通信部と、
上記記録再生部を制御し、放送時間から送信時までの遅延時間を制御する遅延制御部とを備え、
上記遅延時間が上記コンテンツ受信装置の設置場所との時差を示す時差情報に対応して設定されるようにした放送コンテンツ送信装置。
【請求項２】
上記時差情報が上記コンテンツ受信装置から送信される請求項１記載のコンテンツ送信装置。
【請求項３】
上記コンテンツ受信装置から設置地域を示す地域情報が送信され、上記時差情報が上記地域情報から生成される請求項１記載のコンテンツ送信装置。
【請求項４】
さらに、上記コンテンツ受信装置に対して送信される放送コンテンツのチャンネルが上記コンテンツ受信装置からの制御信号によって選択される請求項１記載のコンテンツ送信装置。
【請求項５】
上記時差が進み方向の場合には、２４時間から時差を減算した時間を上記時差情報とする請求項１記載のコンテンツ送信装置。
【請求項６】
ネットワークを介してコンテンツ送信装置と双方向通信可能に接続されたコンテンツ受信装置において、
上記コンテンツ送信装置との通信を行うための通信部と、
ネットワークおよび上記通信部を介してコンテンツ送信装置から受信された放送コンテンツを再生する内蔵または外部の再生部と、
上記コンテンツ送信装置の設置場所との時差を示す時差情報を設定し、設定された上記時差情報を上記通信部および上記ネットワークを介して上記コンテンツ送信装置に対して送信する時差設定部とを備え、
上記コンテンツ送信装置から受信された上記放送コンテンツを上記再生部によって再生する時刻が上記コンテンツ送信装置が設置されている地域とほぼ同一とされるコンテンツ受信装置。
【請求項７】
上記時差設定部において、マニュアル操作によって上記時差情報が設定される請求項６記載のコンテンツ受信装置。
【請求項８】
さらに、設置場所を検出する位置検出部を有し、
上記時差設定部は、上記位置検出部の出力を使用して自動的に上記時差情報が設定される請求項６記載のコンテンツ受信装置。
【請求項９】
上記時差が進み方向の場合には、２４時間から時差を減算した時間を上記時差情報とする請求項６記載のコンテンツ受信装置。
【請求項１０】
上記時差情報に基づいて再生時刻を補正する補正動作のオン、オフを選択可能とし、
上記補正動作のオフを選択した場合には、上記コンテンツ送信装置が受信したコンテンツをほぼ同時刻に視聴するようにした請求項６記載のコンテンツ受信装置。
【請求項１１】
ネットワークを介してコンテンツ受信装置とコンテンツ送信装置とが双方向通信可能に接続された放送コンテンツ送受信システムにおいて、
上記コンテンツ送信装置は、
１または複数のチャンネルの放送コンテンツを受信する放送信号受信部と、
上記放送信号受信部で受信される各チャンネルの少なくとも２４時間分の放送コンテンツを圧縮符号化して記録し、記録した圧縮符号化データを再生する記録再生部と、
上記記録再生部により再生された上記圧縮符号化データをネットワークを介して他の場所に設置されたコンテンツ受信装置に対して送信する通信部と、
上記記録再生部を制御し、放送時間から送信時までの遅延時間を制御する遅延制御部とを備え、
上記遅延時間が上記コンテンツ受信装置の設置場所との時差を示す時差情報に対応して設定され、
上記コンテンツ受信装置は、
上記コンテンツ送信装置との通信を行うための通信部と、
ネットワークおよび上記通信部を介してコンテンツ送信装置から受信された放送コンテンツを再生する内蔵または外部の再生部と、
上記コンテンツ送信装置の設置場所との時差を示す時差情報を設定し、設定された上記時差情報を上記通信部および上記ネットワークを介して上記コンテンツ送信装置に対して送信する時差設定部とを備え、
上記コンテンツ送信装置から受信された上記放送コンテンツを上記再生部によって再生する時刻が上記コンテンツ送信装置が設置されている地域とほぼ同一とされる
コンテンツ送受信システム。
【発明の詳細な説明】
【技術分野】
【０００１】
この発明は、テレビジョン放送の視聴のためのコンテンツ送信装置、コンテンツ受信装置およびコンテンツ送受信システムに関する。
【背景技術】
【０００２】
放送コンテンツ配信システムの一つとして、テレビジョン放送を場所にとらわれないで視聴することを可能とする場所にとらわれない（プレースシフト機能を有する）視聴システムがロケーションフリー（ソニー株式会社の登録商標、以下同様である）と称されて、実用化されている。プレースシフト視聴システムの最小の構成要素は、自宅に設置されるコンテンツ送信装置としてのベースステーションと、視聴するための映像および音声をユーザに提供する受信装置（ロケーションフリープレーヤー、クライアントとも称される）とである。
【０００３】
ベースステーションとテレビアンテナを接続すると、ベースステーションのワイヤレス通信機能によって放送中のテレビジョン放送番組を家庭の中のどの部屋でもリアルタイムで視聴することができる。ベースステーションに対してＤＶＤレコーダまたはハードディスクレコーダを接続すれば、その再生映像を同様にワイヤレス無線で送信することができる。さらに、ベースステーションが受信したテレビジョン放送番組をディジタル信号に変換し、リアルタイムで映像はＭＰＥＧ２(Moving Picture Experts Group Phase 2)、ＡＶＣ(Advanced Video Coding)（Ｈ．２６４）、ＭＰＥＧ４等で圧縮し、音声はＡＡＣ(Advanced Audio Coding)、ＭＰＥＧオーディオ等で圧縮し、圧縮データがインターネットを介して再送信される。再送信された圧縮データを外出先、海外等で受信装置で視聴することができる。
【０００４】
受信装置としては、可搬型のゲーム機、ＰＤＡ(Personal Digital Assistants)、可搬
型パーソナルコンピュータ（ノートＰＣ）、可搬型液晶モニター、携帯電話等のモバイル装置が使用可能である。また、受信した放送コンテンツをビデオ出力としてテレビジョン受像機に対して出力するＴＶボックス（ソニー株式会社商品名）と称される受信装置を使用することによって、一般のテレビジョン受像機によって、放送番組を視聴することができる。
【０００５】
例えば下記特許文献１には、受信装置としての表示装置によって、ベースステーションと接続されたＡＶ機器のリモートコントロールを可能とするシステムが記載されている。
【０００６】
【特許文献１】再公表特許（国際公開第２００３／０９８９６０、特願２００４−５０６３０８）
【発明の開示】
【発明が解決しようとする課題】
【０００７】
特許文献１に記載されているようなプレースシフト視聴システムを利用して海外でテレビジョン放送をリアルタイムで楽しむことができる。しかしながら、時差が殆どない国においてテレビジョン放送を楽しむ場合は問題がないが、時差が大きい国で視聴する場合には、時差による生活リズムのずれが生じる問題があった。例えばベースステーションの設置している地域では、毎朝視聴している連続ドラマの番組を海外では、深夜に視聴することになり、生活リズムとのずれが生じる問題があった。
【０００８】
ベースステーションと接続された録画装置を使用すれば、時差の問題を解決することができる。しかしながら、録画のためには、録画予約が必要であり、操作が面倒であったり、録画予約を忘れるおそれがあった。また、録画予約のためには、視聴したい番組を決めておく必要があった。このように録画装置を使用することは、リアルタイムの視聴に比して利便性が損なわれる問題があった。
【０００９】
したがって、この発明の目的は、特定の放送番組を録画予約することなく、リアルタイム受信と同様の利便性でもって、時差の問題を解決することができるコンテンツ送信装置、コンテンツ受信装置およびコンテンツ送受信システムを提供することにある。
【課題を解決するための手段】
【００１０】
上述した課題を解決するために、この発明は、ネットワークを介してコンテンツ受信装置と双方向通信可能に接続されたコンテンツ送信装置において、
１または複数のチャンネルの放送コンテンツを受信する放送信号受信部と、
放送信号受信部で受信される各チャンネルの少なくとも２４時間分の放送コンテンツを圧縮符号化して記録し、記録した圧縮符号化データを再生する記録再生部と、
記録再生部により再生された圧縮符号化データをネットワークを介して他の場所に設置されたコンテンツ受信装置に対して送信する通信部と、
記録再生部を制御し、放送時間から送信時までの遅延時間を制御する遅延制御部とを備え、
遅延時間がコンテンツ受信装置の設置場所との時差を示す時差情報に対応して設定されるようにした放送コンテンツ送信装置である。
【００１１】
この発明は、ネットワークを介してコンテンツ送信装置と双方向通信可能に接続されたコンテンツ受信装置において、
コンテンツ送信装置との通信を行うための通信部と、
ネットワークおよび通信部を介してコンテンツ送信装置から受信された放送コンテンツを再生する内蔵または外部の再生部と、
コンテンツ送信装置の設置場所との時差を示す時差情報を設定し、設定された時差情報を通信部およびネットワークを介してコンテンツ送信装置に対して送信する時差設定部とを備え、
コンテンツ送信装置から受信された放送コンテンツを再生部によって再生する時刻がコンテンツ送信装置が設置されている地域とほぼ同一とされるコンテンツ受信装置である。
【００１２】
この発明は、ネットワークを介してコンテンツ受信装置とコンテンツ送信装置とが双方向通信可能に接続された放送コンテンツ送受信システムにおいて、
コンテンツ送信装置は、
１または複数のチャンネルの放送コンテンツを受信する放送信号受信部と、
放送信号受信部で受信される各チャンネルの少なくとも２４時間分の放送コンテンツを圧縮符号化して記録し、記録した圧縮符号化データを再生する記録再生部と、
記録再生部により再生された圧縮符号化データをネットワークを介して他の場所に設置されたコンテンツ受信装置に対して送信する通信部と、
記録再生部を制御し、放送時間から送信時までの遅延時間を制御する遅延制御部とを備え、
遅延時間がコンテンツ受信装置の設置場所との時差を示す時差情報に対応して設定され、
コンテンツ受信装置は、
コンテンツ送信装置との通信を行うための通信部と、
ネットワークおよび通信部を介してコンテンツ送信装置から受信された放送コンテンツを再生する内蔵または外部の再生部と、
コンテンツ送信装置の設置場所との時差を示す時差情報を設定し、設定された時差情報を通信部およびネットワークを介してコンテンツ送信装置に対して送信する時差設定部とを備え、
コンテンツ送信装置から受信された放送コンテンツを再生部によって再生する時刻がコンテンツ送信装置が設置されている地域とほぼ同一とされる
コンテンツ送受信システムである。
【発明の効果】
【００１３】
この発明は、コンテンツ送信装置（ベースステーション）の設置されている地域では、常時、ユーザの視聴したいチャンネル数の放送コンテンツを２４時間分、サイクリックに録画しており、視聴する地域の時間に合わせるように、自動的に遅延して放送コンテンツを再生することによって、生活リズムに違和感を生じないで、放送コンテンツを視聴することができる。録画予約の場合に生じる録画操作を不要とでき、また、録画忘れを防止でき、さらに、録画番組を予め知っている必要がない利点がある。
【発明を実施するための最良の形態】
【００１４】
以下、図面を参照してこの発明の一実施の形態について説明する。図１は、一実施の形態によるコンテンツ送受信システムの構成を全体として示す。コンテンツ送信装置としてのベースステーション１には、テレビジョンンアンテナ２が接続され、テレビジョン放送例えばアナログテレビジョン放送が受信可能とされている。アナログテレビジョン放送に限らず、衛星ディジタル放送、地上ディジタル放送、ケーブルテレビジョン、インターネットテレビジョン等の放送コンテンツを受信するようにしても良い。
【００１５】
また、ベースステーション１は、録画部３を有している。録画部３は、ベースステーション１に内蔵され、またはベースステーション１と外部接続されている。録画部３は、ハードディスク、半導体メモリ、光ディスク等の記録媒体を使用したもので、視聴者の希望するチャンネルの放送番組を１日（２４時間）分以上サイクリックに記録することが可能な構成を有する。すなわち、録画部３は、記録媒体に２４時間分の放送番組を記録し、次の２４時間分の放送番組は、記録媒体の上書きによって記録するようになされている。記録動作と再生動作とが並行して行われる。録画部３は、外部からの制御コマンドによって、再生出力のチャンネルの選択と、再生出力を遅延させる時間とを制御することが可能とされている。例えばアナログテレビジョン放送の全放送チャンネルの番組を２４時間分記録することが可能とされている。
【００１６】
ベースステーション１が送出する放送番組のチャンネルの切り替え、録画部３が再生して出力するチャンネルの選択、録画部３の送出遅延時間、並びにＡＶ機器５の動作が受信装置（ロケーションフリープレーヤーまたはクライアント）によってリモートコントロール可能とされている。例えばベースステーション１に対して、ＡＶマウス４が接続され、受信装置によってＡＶ機器５の動作がリモートコントロール可能とされている。
【００１７】
家庭内では、ベースステーション１が受信し、復調したテレビジョン放送のコンテンツを無線ＬＡＮによって視聴することができる。海外での視聴を可能とするために、ベースステーション１から放送コンテンツを圧縮符号化したデータがインターネット６に送出される。ベースステーション１を使用するには、ＩＳＰ（インターネットサービスプロバイダ）との契約が必要とされ、ベースステーション１に対してＩＳＰが持っているグローバルＩＰアドレスの一つが割り振られる。
【００１８】
インターネット６に対してコンテンツ受信装置としてのＴＶボックス７が接続される。ＴＶボックス７に対してＩＳＰが持っているグローバルＩＰアドレスの一つが割り振られる。ＴＶボックス７は、インターネット６を介して受信した放送コンテンツのデータを復号してアナログビデオオーディオ信号（以下、単にアナログビデオ信号と称する）として出力する。アナログビデオ信号がテレビジョン受像機８のビデオ入力端末に供給され、テレビジョン受像機によってベースステーション１から送信されてきたテレビジョン放送番組を視聴することができる。
【００１９】
ＴＶボックス７は、リモートコントロール用コマンダ９によってリモートコントロール可能とされ、また、設置地域のテレビジョン放送を受信するためのアンテナ１０が接続されている。ディスプレイとしては、通常のテレビジョン受像機が使用されている。
【００２０】
テレビジョン受像機８は、設置地域で提供されているテレビジョン放送をリアルタイムで視聴するのみならず、ベースステーション１からの放送もリアルタイムで視聴することが可能である。さらに、ＴＶボックス７の機能と、テレビジョン受像機８のディスプレイと、コマンダ９を使用してベースステーション１、並びにベースステーション１に接続されている録画部３、ＡＶ機器５等を設定するためのデータを形成したり、これらの機器をリモートコントロールすることができる。
【００２１】
図２を参照してベースステーション１の構成例について説明する。アンテナ２で受信されたテレビジョン信号がチューナ１１に供給される。チューナ１１の一例は、アナログテレビジョンチューナである。チューナ１１において、テレビジョン信号からビデオ信号が復調され、ビデオ信号がビデオＡ／Ｄコンバータ１２によってディジタルビデオ信号へ変換される。チューナ１１から取り出された音声中間周波信号が音声多重分離回路１３に供給され、アナログオーディオ信号が復調される。アナログオーディオ信号がオーディオＡ／Ｄコンバータ１４によってディジタルオーディオ信号へ変換される。
【００２２】
ディジタルビデオ信号およびディジタルオーディオ信号が圧縮処理部１５に供給され、圧縮処理部１５において、圧縮符号化の処理を受ける。圧縮符号化としては、ＭＰＥＧ２、ＭＰＥＧ４、ＡＶＣ(Advanced Video Coding)、ＡＡＣ、ＭＰＥＧオーディオ、ＶＣ−
１等を使用することができる。圧縮処理部１５は、圧縮処理のためのＲＡＭ１６が接続されている。
【００２３】
ベースステーション１は、コンポジットビデオまたはコンポーネントビデオ入力部１７を有し、外部の機器からのアナログビデオ信号の入力が可能とされている。例えばＣＳ(Communicaton Satellite)チューナ、ＣＡＴＶ(Cable Television)受信部、ディジタル地上波チューナ、撮像装置、ＤＶＤ(Digital Versatile Disc)プレーヤー、ビデオデッキ等からのビデオ信号がベースステーション１に対して入力可能とされている。
【００２４】
ビデオ入力部１７からのビデオ信号がビデオＡ／Ｄコンバータ１２によりディジタルビデオ信号へ変換され、ビデオ入力部１７からのアナログオーディオ信号がオーディオＡ／Ｄコンバータ１４によってディジタルオーディオ信号へ変換される。そして、圧縮処理部１５において、圧縮符号化される。
【００２５】
圧縮処理部１５から出力される圧縮データがローカルバス１８に対して出力される。ローカルバス１８に、制御部１９、不揮発性メモリとしてのＥＥＰＲＯＭ(Electrical Erasable Programmable ＲＯＭ）２０、ＧＰＳ(Global Positioning System)２１および録画
部３が接続されている。
【００２６】
ＥＥＰＲＯＭ２０は、例えば、ベースステーション１の主電源が落とされる直前まで選局していた放送チャンネルの情報を記憶し、電源投入後において、前回電源が落とされる直前まで選局していたチャンネルの放送信号を選局することができる。その他に、ＥＥＰＲＯＭ２０には、インターネット上の所定のサイトから配信されたリモコンに関連するデータが格納される。
【００２７】
録画部３は、圧縮符号化データを記録し、また、圧縮符号化データを再生し、再生した圧縮符号化データをローカルバス１８を介して制御部１９に出力する。録画部３は、後述するように、１または複数チャンネルの放送番組を記録できると共に、再生出力を送出する際のチャンネルおよび遅延時間を外部から設定可能なものである。
【００２８】
ＧＰＳ２１は、ベースステーション１が設置されている地域の位置情報（緯度・経度情報）のデータをローカルバス１８を介して制御部１９に出力する。ＧＰＳ２１において位置情報に加えて時間情報が得られる時には、時間情報を制御部１９に出力するようにしても良い。この時間情報を使用して時差情報を求めることができる。
【００２９】
圧縮処理部１５から出力される圧縮符号化データ、または録画部３により再生された圧縮符号化データがローカルバス１８を介して制御部１９に供給される。制御部１９は、ＣＰＵ(Central Processing Unit)と、制御用プログラムが記憶されているＲＯＭ(Read Only Memory)、および各種のデータを記憶するＲＡＭ（Random Access Memory）によって構
成され、さらに、ＳＤＲＡＭ(Synchronous Dynamic Random Access Memory)２２が制御部１９に接続されている。制御部１９は、ＲＯＭに記憶されたプログラムやデータを必要に応じて読み出し、ＲＡＭをワークメモリとして用いながら、ベースステーション１の各部を制御する。
【００３０】
制御部１９のＣＰＵと接続されたＣＰＵバス２３に対して電源スイッチ等で構成されるキー入力部２４および無線ＬＡＮ(Local Area Network)モジュール２５が接続される。無線ＬＡＮモジュール２５に対してアンテナ２６が接続される。無線ＬＡＮモジュール２５は、送信部および受信部を含んでおり、所定の通信プロトコルに準拠して送信処理および受信処理を行う。ベースステーション１の無線ＬＡＮモジュール２５は、例えば無線ＬＡＮの方式としてＩＥＥＥ(Institute of Electrical and Electronics Engineers)802.11b/g/aの３個の規格に対応している。
【００３１】
無線ＬＡＮの到達範囲内では、ベースステーション１の圧縮処理部１５で圧縮された圧縮符号化データを無線で受信することが可能である。圧縮符号化データは、チューナ１１から出力されるテレビジョン信号またはビデオ入力１７に供給されるビデオ信号である。必要に応じて録画部３の再生信号を無線ＬＡＮで送信するようにしても良い。したがって、例えば家庭内で、ベースステーション１が設置されている部屋と異なる部屋の受信装置（モバイル機器）によってテレビジョン放送の番組を視聴することができる。一方、受信装置からの選局指示等の制御信号が無線ＬＡＮモジュール２５を介してベースステーション１が受信し、受信された制御信号が制御部１９に供給される。
【００３２】
さらに、制御部１９に対して送受信部２６が接続され、送受信部２６に対してインターフェース２７が接続されている。インターフェース２７は、ベースステーション１をブロードバンドブロードバンドルータを介してブロードバンドのインターネット回線と接続するためのものである。例えばイーサネット（登録商標）の場合では、送受信部２６によって規格に準じた送信および受信処理がなされ、インターフェース２７としてのＲＪ−４５モジュラージャックを介してＬＡＮケーブルが接続される。
【００３３】
インターネット回線とベースステーション１とを接続することによって、家庭の外例えば海外で受信装置（ＴＶボックス７）によってテレビジョン放送をリアルタイムで視聴することができる。この場合、後述するように、ベースステーション１の設置地域とＴＶボックス７で視聴する地域との間の時差に応じて遅延されたテレビジョン放送（録画部３の再生信号）を視聴することか可能とされている。また、インターネット回線を通じてＴＶボックス７からのリモートコントロールデータを受信し、ベースステーション１およびベースステーション１に接続されたＡＶ機器をＴＶボックス７がリモートコントロールすることが可能とされている。さらに、ベースステーション１がインターネット回線を通じて所定のサイトに接続され、そのサイトからリモートコントロールに関連するデータ、ソフトウェアデータ等をダウンロードすることが可能とされている。さらに、インターネット上のホームページを閲覧したり、電子メールを受信したりすることが可能とされている。
【００３４】
上述したベースステーション１において、制御部１９によってチューナ１１の出力信号とビデオ入力１７からのビデオ信号の一方が選択され、さらに、選局するチャンネルが選択される。選択されたチャンネルの放送信号またはビデオ信号が圧縮処理部１５にて圧縮符号化される。圧縮符号化データが、制御部１９、無線ＬＡＮモジュール２５およびアンテナ２６を介して送信され、無線ＬＡＮを介して受信装置がテレビジョン放送またはビデオ信号を視聴することができる。また、圧縮符号化データが制御部１９、送受信部２７、インターフェース２８、ブロードバンドルータ（図示しない）、インターネット回線を介してＴＶボックス７に送信され、ＴＶボックス７に接続されたテレビジョン受像機がテレビジョン放送またはビデオ信号を視聴することができる。
【００３５】
図２では、簡単のために、リアルタイム受信のために必要な構成（チューナ１１、ビデオＡ／Ｄコンバータ、音声多重分離回路１３、オーディオＡ／Ｄコンバータ１４、圧縮処理部１５およびＲＡＭ１６）のみが示されている。上述したように、録画部３は、ユーザが希望するチャンネル数に対応するテレビジョン放送を２４時間分以上、巡回的に記録するものである。
【００３６】
図３は、かかる録画を行うための構成例を示す。アンテナ２の受信信号が分配器３１によってチューナ３２1、３２2、・・・、３２Nにそれぞれ供給される。チューナの個数Ｎ
は、例えばベースステーション１が設置されている地域で受信可能な全てのアナログテレビジョンチャンネルの数と一致している。チューナ３２1〜３２Nから出力されるビデオ信号およびオーディオ信号がＡ／Ｄコンバータ３３1〜３３Nにおいてディジタル信号へ変換される。
【００３７】
ディジタルビデオ信号およびディジタルオーディオ信号が圧縮器３４1〜３４Nに供給され、圧縮符号化される。圧縮器３４1〜３４Nの圧縮符号化出力データ（データストリーム）がマルチプレクサ３５に供給される。Ｎは、例えば受信可能なアナログテレビジョンチャンネルの全チャンネル数である。マルチプレクサ３５は、Ｎチャンネルのストリームを適当な数の記録チャンネルに変換して録画部３に供給する。マルチプレクサ３５を設けずに、Ｎチャンネルのストリームを録画部３に供給するようにしても良い。
【００３８】
録画部３は、記録媒体３６、選択部３７および遅延調整部３８を有している。録画部３では、各チャンネルの圧縮符号化データが巡回的に記録媒体３６に記録される。例えば一つのチャンネルに関して、２４時間分の記録がなされると、記録アドレスがスタートアドレスに戻り、以前の記録データに対して新たな記録データが上書きされる。かかる録画部３の記録動作は、常時なされるものであり、例えば全チャンネルの２４時間分の放送番組が常に記録されるものである。なお、２４時間の録画時間は、最小限のもので、数日、１週間等のより長い録画時間が可能な録画部３を使用しても良い。
【００３９】
記録と平行して記録媒体３６から圧縮符号化データが再生される。再生時に、Ｎチャンネル分の圧縮符号化データの中の一つのチャンネルの圧縮符号化データが選択部３７で選択される。選択部３７で選択された一つのチャンネルの圧縮符号化データに関する遅延時間が遅延調整部３８で設定される。
【００４０】
選択部３７において、Ｎチャンネルの内の一つのチャンネルの圧縮符号化データを選択するために、選択制御信号が制御部１９から選択部３７に供給される。受信装置としてのＴＶボックス７において、ユーザが視聴を希望するチャンネルを指定する指示操作がなされ、指定されたチャンネルを選択するための選択制御信号がＴＶボックス７からベースステーション１に対してインターネット回線を介して伝送される。この選択制御信号と共に、ＴＶボックス７からベースステーション１に対して時差情報が送信される。
【００４１】
ＴＶボックス７からの時差情報に基づいて、制御部１９が遅延時間制御信号を生成し、遅延時間制御信号によって遅延調整部３８で遅延時間が設定される。遅延調整部３８は、遅延制御信号に応じてベースステーション１の設置地域で放映された時間に対して、最大２４時間の遅延時間でもって再生信号を出力する。例えば時差情報が１９時間を示している場合では、遅延調整部３８によって、実際の放送時間に対して１９時間の遅延時間でもって再生信号を出力するように制御される。また、遅延調整部３８が遅延時間を０とすることによって、リアルタイムに近い状態でテレビジョン放送をＴＶボックス７によって視聴することができる。録画部３において、既に録画済みの番組の中から時差に対応する時間前の番組から順次圧縮符号化データの再生を行うことによって、遅延時間の設定がなされる。
【００４２】
選択されたチャンネルで、且つ遅延時間が調整された圧縮符号化データが制御部１９を介して送受信部２７に供給される。送受信部２７、インターフェース２８、ブロードバンドルータ（図示しない）を介して圧縮符号化データがインターネットに出力される。
【００４３】
次に、図４を参照して受信装置例えばＴＶボックス７について説明する。ＴＶボックス７には、制御部４１が備えられている。制御部４１は、ＣＰＵと、制御用プログラムが記憶されているＲＯＭと、各種のデータを記憶するＲＡＭとによって構成され、さらに、ＳＤＲＡＭ４２、ＧＰＳ４３およびリモートコントロール受信部４４が制御部４１に接続されている。リモートコントロールシステムは、例えば赤外線通信を利用したものである。この他に無線通信を使用するもの、タッチパネルを使用するもの等種々の構成を使用できる。制御部４１は、ＲＯＭに記憶されたプログラムやデータを必要に応じて読み出し、ＲＡＭをワークメモリとして用いながら、ＴＶボックス７の各部を制御する。
【００４４】
制御部４１のＣＰＵと接続されたバス４５に対して無線ＬＡＮ(Local Area Network)モジュール４６が接続される。無線ＬＡＮモジュール４６に対してアンテナ４７が接続される。無線ＬＡＮモジュール４６は、送信部および受信部を含んでおり、所定の通信プロトコルに準拠して送信処理および受信処理を行う。ベースステーション１の無線ＬＡＮモジュール２５と同様に、無線ＬＡＮモジュール４６は、無線ＬＡＮの方式としてＩＥＥＥ802.11b/g/aの３個の規格に対応している。
【００４５】
ベースステーション１とＴＶボックス７とが同じ家庭内にあるような場合には、無線ＬＡＮの到達範囲内では、ベースステーション１からの圧縮符号化データを受信することが可能である。圧縮符号化データは、ベースステーション１においてチューナ１１で選局されたテレビジョン信号またはビデオ入力１７に供給されるビデオ信号を圧縮符号化したデータである。必要に応じて録画部３の再生信号をＴＶボックス７の無線ＬＡＮで受信するようにしても良い。
【００４６】
無線ＬＡＮモジュール４６で受信された圧縮符号化データがバス４５を介して制御部４１に供給され、制御部４１から伸張処理部４８に供給される。伸張処理部４８は、処理用のＲＡＭ４９を有する。伸張処理部４８は、ベースステーション１の圧縮処理部１５により圧縮されたデータを復号する処理を行う。伸張処理部４８が行う伸張処理は、制御部４１で行うようにしても良い。
【００４７】
信号処理部４８からの復号されたビデオ信号がビデオＤ／Ａコンバータ５０を介してビデオ出力部５１に供給され、信号処理部４８からの復号されたオーディオ信号がオーディオＤ／Ａコンバータ５２を介してオーディオ出力部５３に供給される。ビデオ出力部５１からのビデオ信号およびオーディオ出力部５３からのオーディオ信号がテレビジョン受像機８（図１参照）に供給され、テレビジョン受像機８によって再生される。したがって、例えば家庭内で、ベースステーション１が設置されている部屋と異なる部屋の受信装置としてのＴＶボックス７によってテレビジョン放送の番組を視聴することができる。
【００４８】
ＴＶボックス７がテレビジョン受像機８に対して出力する信号の形態は、コンポジットビデオ信号等の他の形態であっても良い。また、ＴＶボックス７の制御部４１によって形成されたリモートコントロール用の表示を行うための表示信号が図示しないオンスクリーン表示制御部によってビデオ信号に対して重畳される。テレビジョン受像機８の画面に各種の設定またはリモートコントロール用の表示が行われる。ユーザは、コマンダ９（図１参照）を操作して各種の設定およびリモートコントロールを行うことが可能とされている。ＴＶボックス７からの選局指示等の制御信号が無線ＬＡＮモジュール４６およびアンテナ４７を介してベースステーション１に送信される。
【００４９】
さらに、バス４５を介して制御部４１に対して送受信部５４が接続され、送受信部５４に対してインターフェース５５が接続されている。インターフェース５５は、ＴＶボックス７をブロードバンドルータを介してブロードバンドのインターネット回線と接続するためのものである。例えばイーサネット（登録商標）の場合では、送受信部５４によって規格に準じた送信および受信処理がなされ、インターフェース５５（ＲＪ−４５モジュラージャック）を介してＬＡＮケーブルが接続される。
【００５０】
ベースステーション１からの圧縮符号化データがインターネット回線を介してブロードバンドルータ（図示しない）に供給され、インターフェース５５、送受信部５４を介して制御部４１に供給され、さらに、伸張処理部４８に供給される。伸張処理部４８から復号されたビデオ信号およびオーディオ信号が得られ、ビデオＤ／Ａコンバータ５０、オーディオＤ／Ａコンバータ５２、ビデオ出力部５１およびオーディオ出力部５３をそれぞれ介してテレビジョン受像機８に供給され、テレビジョン受像機８によって再生される。
【００５１】
ＴＶボックス７において、バス４５に対してＥＥＰＲＯＭ５６が接続されている。ＥＥＰＲＯＭ５６は、不揮発性のメモリであり、例えば、各種の設定パラメータが記憶保持される。ＴＶボックス７が電子メールの機能を有する場合には、作成した電子メールや受信した電子メールなどが記憶保持される。リモートコントロール用の制御データは、インストールしたアプリケーションソフトウェアによって提供される。さらに、ＥＥＰＲＯＭ５６に対して、ベースステーション１から送信されたリモートコントロール用の制御データを格納しても良い。この制御データによって、テレビジョン受像機８の画面中に操作画面を表示することができる。
【００５２】
このように、インターネット回線とＴＶボックス７とを接続し、ＴＶボックス７とテレビジョン受像機８とを接続することによって、例えば海外でベースステーション１から送られてくるテレビジョン放送をテレビジョン受像機８によってリアルタイムで視聴することができる。また、ＴＶボックス７のリモートコントロールのコマンダ９を操作することによって、選局するチャンネルを切り替えることが可能とされている。但し、ベースステーション１が設置されている地域と、ＴＶボックス７が設置されている地域との間で、時差が存在すると、いつも視聴していた時間とのずれが生じ、生活リズムが乱れる場合があった。
【００５３】
この発明の一実施の形態では、この問題を解決するために、ＴＶボックス７において、時差情報を設定し、ベースステーション１に時差情報を送信するようになされている。ベースステーション１では、受信した時差情報に基づいて、制御部１９が遅延時間制御信号を生成し、遅延時間制御信号が遅延調整部３８（図３参照）に対して供給され、時差情報が示す時差に対応する遅延時間でもってテレビジョン信号を出力する。
【００５４】
例えばベースステーション１が日本に設置され、ＴＶボックス７がベトナムに設置されている場合を考える。日本時間が午前７時であるとし、時差が２時間であるので、午前７時の放送番組をリアルタイムで送出すると、ＴＶボックス７を設置しているベトナムでは、午前５時に当該番組を視聴することになる。これに対して、時差に対応して２時間の遅延でもって午前９時に当該番組のデータを送出すると、ベトナムでは、日本と同じ時間（午前７時）に当該番組を視聴することができる。すなわち、日本にいる時と同じ生活リズムを保って番組を視聴することが可能となる。
【００５５】
ＴＶボックス７における時差の設定について説明する。図５を参照して時差情報の設定方法の３個の例について説明する。図５Ａは、ＴＶボックス７において、制御部４１の制御の下で、時差をユーザのマニュアル操作で設定する方法を示す。ステップＳ１において、時差設定用の操作画面がテレビジョン受像機８の画面に表示される。時差設定用の操作画面は、例えば通常の受信状態からベースステーション１に対する受信装置としてテレビジョン受像機８が動作するように切り替え、さらに、設定用のメニューの画面を表示し、メニューの中の時差設定メニューを選択することによって表示される。ＴＶボックス７の制御部４１の制御によって操作画面の表示、コマンダ９からの操作入力の受付、操作入力に応じた制御動作等がなされる。
【００５６】
図６Ａに操作画面６１の一例を示す。操作画面６１では、時差補正を行う（オン）か、行わない（オフ）かが設定される。例えばリモートコントロール用コマンダ９の方向（矢印）キーと決定キーとを操作してオン／オフを設定できる。
【００５７】
次のステップＳ２において、時差の設定がなされる。図６Ｂに示すように、カーソルを上昇マークまたは下降マークに位置させ、上方向キーまたは下方向キーを押すことによって、時差の値を増減することができる。例えばサマータイム制度では、ハワイの日本時間との時差が１９時間である。
【００５８】
時差の設定が終了すると、ステップＳ３において、時差補正のオン／オフを制御する信号と時差情報とがベースステーション１に対して送信される。例えば時差の設定後にコマンダ９の決定キーを押すことによって時差補正のオン／オフを制御する信号と時差情報との送信がなされる。ＴＶボックス７の送受信部５４およびインターフェース５５を介してこれらの制御信号がベースステーション１に対して送信される。
【００５９】
ベースステーション１では、図５Ｂに示すように、制御部１９の制御の下で処理がなされる。ステップＳ１１で時差補正のオン／オフを制御する信号と時差情報とをインターフェース２８および送受信部２７を介して制御部１９が受信する。ステップＳ１２において、受信した時差情報に基づいて録画部３の再生信号をＴＶボックス７に対して送出する際の遅延時間が設定される。例えば図３の構成における遅延調整部３８の遅延時間が時差情報に基づいて設定される。時差が遅れ方向の場合では、時差とほぼ等しい遅延時間が設定される。
【００６０】
ＴＶボックス７から時差補正をオフとする制御信号を受信した場合では、ベースステーション１が送出するテレビジョン放送の番組がチューナ１１の出力信号に設定される。この場合、遅延調整部３８の遅延時間を最小（０）としても良い。
【００６１】
時差設定用の操作画面としては、図６に示す構成以外に種々の構成が可能である。例えば図７Ａに示すように、ベースステーション１の設置場所の国名および都市名を設定する操作画面７１と、ＴＶボックス７が設置されている現在位置の国名および都市名を設定する操作画面７１とを順次操作することによって、時差を決定しても良い。国名のみを指定することも可能である。さらに、世界地図を表示し、世界地図に対して位置を入力するようにしても良い。これらの方法では、時差を知らなくても、時差を設定することができる。
【００６２】
時差は、遅れのみではなく、進みの場合もある。日本時間を基準とした場合、例えばニュージーランドの時差は、＋３時間である。この場合には、遅延時間を（２４時間−３時間＝２１時間）に設定する。例えば日本時間の午前７時を２１時間遅延させると、午前４時となる。午前４時に午前７時に放送されたテレビジョン番組を送出すると、ニュージーランドでは、午前７時に視聴することができる。すなわち、時間が進んでいる地域で、時間が遅れている地域のテレビジョン放送を視聴する場合には、２４時間から時差分を引いた時間を遅延時間とする指示を与えれば良い。このことを考慮して時差設定用の操作画面６２を構成しても良い。例えば時差の＋および−の何れか一方を指定することが可能とされる。
【００６３】
図５Ｃは、時差設定をＴＶボックス７において自動的に行う例を説明するフローチャートである。ステップＳ２１では、自動設定モードか否かが判定される。自動設定モードと判定されると、ステップＳ２２において、ベースステーション１のＧＰＳ２１からのＧＰＳデータ（位置情報）ＬＯＣ１が受信される。ステップＳ２３において、受信されたデータＬＯＣ１が記憶される。
【００６４】
ステップＳ２４では、記憶したベースステーション１のＧＰＳデータＬＯＣ１と、自分自身が備えいるＧＰＳ４３のＧＰＳデータＬＯＣ２とから時差が決定される。例えばＧＰＳデータＬＯＣ１およびＬＯＣ２のそれぞれを予め用意したテーブルによって国情報に変換して時差を求めることができる。求められた時差情報がベースステーション１に対して送信される。
【００６５】
自動設定を行う場合、ベースステーション１において、ＴＶボックス７からＧＰＳデータを受信し、受信したＧＰＳデータと自身のＧＰＳデータとを使用して時差を求めるようにしても良い。さらに、ＴＶボックス７のみがＧＰＳを備えており、ＴＶボックス７の初期設定時にベースステーション１を設置している地域（国名）を設定しておけば、ＴＶボックス７のＧＰＳの検出した位置情報のみから時差を知ることが可能である。この場合、ＴＶボックス７の設置地域の情報をマニュアル操作によって入力し、入力した地域情報をベースステーション１に対して送信し、一方、ベースステーション１の設置地域を予め設定しておくことにより、ベースステーション１において時差情報を取得することができる。
【００６６】
以上、この発明の一実施の形態について説明したが、この発明は、一実施の形態に限定されるものではなく、この発明の要旨を逸脱しない範囲内で様々な変形や応用が可能である。例えば受信装置としては、ＴＶボックスと通常のテレビジョン受像機の組合せ以外に、液晶表示部を有する携帯型表示装置、携帯型パーソナルコンピュータ、携帯型ゲーム装置等の放送コンテンツを受信し、再生できる装置を使用できる。
【図面の簡単な説明】
【００６７】
【図１】この発明の一実施の形態によるコンテンツ受信システムの全体的構成を示すブロック図である。
【図２】この発明の一実施の形態におけるベースステーションの構成を示すブロック図である。
【図３】この発明の一実施の形態におけるＡＶコンテンツ受信再生動作の流れを説明するためのフローチャートである。
【図４】この発明の一実施の形態における録画部に関連する構成を示すブロック図である。
【図５】この発明の一実施の形態における時差設定処理の流れを示すフローチャートである。
【図６】この発明の一実施の形態における操作画面の一例を示す略線図である。
【図７】この発明の一実施の形態における操作画面の他の例を示す略線図である。
【符号の説明】
【００６８】
１  ベースステーション
２  テレビジョンアンテナ
３  録画部
６  インターネット
７  ＴＶボックス
８  テレビジョン受像機
９  リモートコントロール用コマンダ
１５  圧縮処理部
１９  制御部
２１  ＧＰＳ
２５  無線ＬＡＮモジュール
３７  チャンネル選択部
３８  遅延時間調整部
４１  制御部
４３  ＧＰＳ
４６  無線ＬＡＮモジュール
【図１】
2008278231.tif 000003
【図２】
2008278231.tif 000004
【図３】
2008278231.tif 000005
【図４】
2008278231.tif 000006
【図５】
2008278231.tif 000007
【図６】
2008278231.tif 000008
【図７】
2008278231.tif 000009